(57)【要約】      （修正有）【課題】かき寄せ及び挟み込み両用の機能を搭載する落ち葉清掃工具を提供する。【解決手段】清掃工具は、ハンドル部を含み、ハンドル部は、第１柄部１と第２柄部２を含み、第２柄部の一端部に第１熊手部３が設けられ、第２柄部の他端にプラスチック製ねじが取付けられ、第１熊手部は、引きばね５を介して揺動フレーム６の先端に接続され、揺動フレームの後端はボルト・ナットを介して第２熊手部４に固定され、揺動フレームの中央部は第１ラッチ部９を介して第２柄部に固定され、第１柄部に把持部７が設けられ、把持部は接続棒１０を介して第２ラッチ部１３に接続され、第１柄部の一端部にプラスチック製ねじに適合するプラスチック製ナットが設けられ、第１柄部の他端に軟性手持部１１が設けられる。花園・街道・家庭の落ち葉や草くずを集め、及び落ち葉を寄せ集めることに用いられる簡単で実用的、脱着可能、収納しやすい道具である。【選択図】図１
0003213423.tif 000002
【実用新案登録請求の範囲】
【請求項１】
ハンドル部を含むかき寄せ及び挟み込み両用の機能を搭載する落ち葉清掃工具であって、
前記ハンドル部は、第１柄部（１）と第２柄部（２）を含み、前記第２柄部（２）の一端部に第１熊手部（３）が設けられ、前記第２柄部（２）の他端にブラスチック製ねじ（８）が取付けられ、前記第１熊手部（３）は、引きばね（５）を介して揺動フレーム（６）の先端に接続され、前記揺動フレーム（６）の後端はボルト（１５）・ナット（１９）を介して第２熊手部（４）に固定され、前記揺動フレーム（６）の中央部は第１ラッチ部（９）を介して第２柄部（２）に固定され、前記第１柄部（１）に把持部（７）が設けられ、前記把持部（７）は接続棒（１０）を介して第２ラッチ部（１３）に接続され、前記第１柄部（１）の一端部にブラスチック製ねじ（８）に適合するブラスチック製ナット（１６）が設けられ、前記第１柄部（１）の他端に軟性手持部（１１）が設けられることを特徴とする落ち葉清掃工具。
【請求項２】
前記第１熊手部（３）と引きばね（５）の一端部は、第１ねじ（１２）を介して第２柄部（２）に固定されることを特徴とする請求項１に記載のかき寄せ及び挟み込み両用の機能を搭載する落ち葉清掃工具。
【請求項３】
前記引きばね（５）の一端部は、適切な第２保持リング（１８）によって固定される第２ラッチ部（１３）を介して、揺動フレーム（６）の先端に接続されることを特徴とする請求項１に記載のかき寄せ及び挟み込み両用の機能を搭載する落ち葉清掃工具。
【請求項４】
前記接続棒（１０）の一端部は、第２ねじ（１４）を介して把持部（７）に固定されることを特徴とする請求項１に記載のかき寄せ及び挟み込み両用の機能を搭載する落ち葉清掃工具。
【請求項５】
前記第１熊手部（３）と第２熊手部（４）は、複数の歯部が均一に設けられることを特徴とする請求項１に記載のかき寄せ及び挟み込み両用の機能を搭載する落ち葉清掃工具。
【請求項６】
前記揺動フレーム（６）の底部にある溝部は、第２熊手部（４）の凸台に噛み合うことを特徴とする請求項１に記載のかき寄せ及び挟み込み両用の機能を搭載する落ち葉清掃工具。
【請求項７】
前記第１ラッチ部（９）は、適切な第１保持リング（１７）を用いて第２柄部（２）に固定されることを特徴とする請求項１に記載のかき寄せ及び挟み込み両用の機能を搭載する落ち葉清掃工具。
【考案の詳細な説明】
【技術分野】
【０００１】
本実用新案は、農業技術分野に関し、特にかき寄せ及び挟み込み両用の機能を搭載する落ち葉清掃工具に関する
【背景技術】
【０００２】
都市の街道、公園、コミュニティなど園林面積の拡大に伴い、落ち葉や草くずの量が多くなる。特に、秋と冬のような乾燥季節では、風に飛ぶ落ち葉や飛んでいくゴミは、環境美化に悪影響を与えるだけではなく、環境保全作業者の労働負荷を増加させることがある。落ち葉は高い利用価値のある有機物であり、それを集めることは重要な作業である。現在の市販製品について、かき寄せや挟み込みの二重機能はなく、単一な機能しか持っていない現状であるが、本新案は、上記の二つ機能を併せ持つこととする。
【考案の概要】
【考案が解決しようとする課題】
【０００３】
関連技術の問題点に対し、本実用新案は、落ち葉をかき寄せることと草くずを集めることを図るためのかき寄せ及び挟み込み両用の機能を搭載する落ち葉清掃工具を提案する。
【課題を解決するための手段】
【０００４】
上記の技術目的を実現するため、本実用新案の解決手段は以下の通りである。
【０００５】
ハンドル部を含むかき寄せ及び挟み込み両用の機能を搭載する落ち葉清掃工具であって、前記ハンドル部は、第１柄部と第２柄部を含み、前記第２柄部の一端部に第１熊手部が設けられ、前記第２柄部の他端にブラスチック製ねじが取付けられ、前記第１熊手部は、引きばねを介して揺動フレームの先端に接続され、前記揺動フレームの後端はボルト・ナットを介して第２熊手部に固定され、前記揺動フレームの中央部は第１ラッチ部を介して第２柄部に固定され、前記第１柄部に把持部が設けられ、前記把持部は接続棒を介して第２ラッチ部に接続され、前記第１柄部の一端部にブラスチック製ねじに適合するブラスチック製ナットが設けられ、前記第１柄部の他端に軟性手持部が設けられる。
【０００６】
さらに、前記第１熊手部と引きばねの一端部は、第１ねじを介して第２柄部に固定される。
【０００７】
さらに、前記引きばねの一端部は、第２ラッチ部を介して揺動フレームの先端に接続され、前記２ラッチ部は、適切な第２保持リングにより固定される。
【０００８】
さらに、前記接続棒の一端部は、第２ねじを介して把持部に固定される。
【０００９】
さらに、前記第１熊手部と第２熊手部は、複数の歯部が均一に設けられる。
【００１０】
さらに、前記揺動フレームの底部にある溝部は、第２熊手部の凸台に噛み合う。
【００１１】
さらに、前記第１ラッチ部は、適切な第１保持リングを用いて第２柄部に固定される。
【考案の効果】
【００１２】
本実用新案は、花園・街道・家庭の落ち葉や草くずを集め、及び落ち葉を寄せ集めることに用いられる簡単で実用的、脱着可能、収納しやすい道具であるという有益な効果がある。
【図面の簡単な説明】
【００１３】
本実用新案の実施例又は従来技術の解決手段を詳細に説明するため、ここでは実施例に必要な図面を簡単に説明する。以下の図面は、本実用新案の単なる例示に過ぎず、当業者は、創造的活動をしない上で、これらの図面により他の図面を得ることができることは明らかである。
【図１】本実用新案の実施例におけるかき寄せ及び挟み込み両用の機能を搭載する落ち葉清掃工具の全体構造概略図である。
【図２】本実用新案の実施例におけるかき寄せ及び挟み込み両用の機能を搭載する落ち葉清掃工具の分解図である。
【考案を実施するための形態】
【００１４】
以下、本実用新案の実施例の図面により、本実用新案の実施例の解決手段について、詳細完全に説明する。これらの実施例は、明らかに本実用新案の実施例の一部を構成することに過ぎない。本実用新案の実施例に基づき当業者が得たすべての実施形態は、本実用新案の保護範囲内にある。
【００１５】
図１、２に示すように、かき寄せ及び挟み込み両用の機能を搭載する落ち葉清掃工具は、ハンドル部を含み、前記ハンドル部は、第１柄部（１）と第２柄部（２）を含み、前記第２柄部（２）の一端部に第１熊手部（３）が設けられ、前記第２柄部（２）の他端にブラスチック製ねじ（８）が取付けられ、前記第１熊手部（３）は、引きばね（５）を介して揺動フレーム（６）の先端に接続され、前記揺動フレーム（６）の後端はボルト（１５）・ナット（１９）を介して第２熊手部（４）に固定され、前記揺動フレーム（６）の中央部は第１ラッチ部（９）を介して第２柄部（２）に固定され、前記第１柄部（１）に把持部（７）が設けられ、前記把持部（７）は接続棒を介して第２ラッチ部（１３）に接続され、前記第１柄部（１）の一端部にブラスチック製ねじ（８）に適合するブラスチック製ナット（１６）が設けられ、前記第１柄部（１）の他端に軟性手持部（１１）が設けられる。
【００１６】
一実施例では、前記第１熊手部（３）と引きばね（５）の一端部は、第１ねじ（１２）を介して第２柄部（２）に固定される。
【００１７】
一実施例では、前記引きばね（５）の一端部は、第２ラッチ部（１３）を介して揺動フレーム（６）の先端に接続され、前記２ラッチ部（１３）は、適切な第２保持リング（１８）により固定される。
【００１８】
一実施例では、前記接続棒（１０）の一端部は、第２ねじ（１４）を介して把持部（７）に固定される。
【００１９】
一実施例では、前記第１熊手部（３）と第２熊手部（４）は、複数の歯部が均一に設けられる。
【００２０】
一実施例では、前記揺動フレーム（６）の底部にある溝部は、第２熊手部（４）の凸台に噛み合う。
【００２１】
一実施例では、前記第１ラッチ部（９）は、適切な第１保持リング（１７）を用いて第２柄部（２）に固定される。
【００２２】
以上、本実用新案を限定するものではなく、本実用新案の好ましい実施形態に過ぎない。本実用新案の精神及び趣旨を逸脱しない様々な変更、同等代替、改良など、いずれも本実用新案の保護範囲内に含まれる。
【符号の説明】
【００２３】
１  第１柄部
２  第２柄部
３  第１熊手部
４  第２熊手部
５  引きばね
６  揺動フレーム
７  把持部
８  ブラスチック製ねじ
９  第１ラッチ部
１０  接続棒
１１  軟性手持部
１２  第１ねじ
１３  第２ラッチ
１４  第２ねじ
１５  ボルト
１６  ブラスチック製ナット
１７  第１保持リング
１８  第２保持リング
１９  ナット
【図１】
0003213423.tif 000003
【図２】
0003213423.tif 000004